(57)【要約】較正曲線を作成する方法。方法は、較正標準を分析することと、解析値を濃度レベルで求めることと、次いで、定義された較正モデルに最良適合する、一連の初期連続する点を決定することとを伴う。一連の点は、次いで、次の利用可能な濃度レベルにおける次の利用可能な点がより高いまたはより低いかどうかを考慮し、そのような点の含有が好適であるであろうかどうかを考慮することによって増やされる。プロセスは、次いで、全点が考慮されるまで繰り返される。
2018504709.tif 000002
【特許請求の範囲】
【請求項１】
検体のための較正曲線モデルのパラメータを生成する方法であって、
ａ）複数の較正標準を提供することであって、前記較正標準の各々は、既知の濃度の前記検体を含む、ことと、
ｂ）既知の濃度の前記検体を含む前記較正標準の各々を解析デバイス内で分析することによって、前記較正標準の各々に対する解析値を決定し、前記解析値の各々をその対応する較正標準濃度に較正点対としてデータ記憶装置内で関連付けることと、
ｃ）較正曲線を生成することにおける使用のために、所定の曲線適合タイプに最良適合する較正点対のサブセットを識別することであって、前記較正点対のサブセットは、連続した濃度レベルにおける対であり、前記最良適合の決定は、第１の曲線適合メトリックの使用によって行われる、ことと、
ｄ）前記サブセットより高いか、またはより低いかのいずれかのすぐ次の濃度レベルにおける１つ以上の追加の較正点対と、以前に試験された任意の他の較正点対とを含むことが、好適な較正曲線の生成をもたらすであろうかどうかを前記所定の曲線適合タイプを使用した第２の曲線適合メトリックを用いて試験し、該当する場合、前記追加の較正点対を前記サブセットの中に含めることによって、前記サブセット内の前記較正点対の数を増加させることと、
ｅ）全ての較正点対が試験されてしまうまで、ステップｄ）を繰り返すことと、
ｆ）較正点対の前記結果として生じるサブセットを前記所定の曲線適合タイプに適合させることによって、前記較正曲線モデルのパラメータを計算することと
を含む、方法
【請求項２】
前記所定の曲線適合タイプは、線形であり、前記第１の曲線適合メトリックは、ｒまたはＲ２であり、前記較正点対のサブセットを識別することは、
ｉ）３または４つの連続した濃度レベルの各々において１つ以上の較正点対を選択し、前記較正点対に対して線形回帰を行うことにより、ｒまたはＲ２と線形方程式の係数とを決定することと、
ｉｉ）連続した３または４つの濃度レベルにおける全ての可能な１つ以上の較正点対がそれらのｒまたはＲ２と線形方程式の係数とを決定されてしまうまで、ステップａ）を反復的に繰り返すことと、
ｉｉｉ）最高のｒまたはＲ２値を有する前記３または４つの連続した濃度レベルの各々における１つ以上の較正点対であるように、前記較正対のサブセットを設定することと
によって行われる、請求項１に記載の方法。
【請求項３】
前記線形回帰は、前記線形方程式の係数を所定の較正点を通るようにすることによって行われる、請求項２に記載の方法。
【請求項４】
前記所定の較正点は、原点（０，０）である、請求項３に記載の方法。
【請求項５】
前記曲線適合メトリックは、Ｒ２である、請求項２に記載の方法。
【請求項６】
前記所定の曲線適合タイプは、線形または二次関数である、請求項１に記載の方法。
【請求項７】
前記サブセットは、前記較正点対の総数の少なくとも２０％を含む、請求項１に記載の方法。
【請求項８】
前記点のサブセットは、最初に、３または４つの較正点対を含む、請求項１に記載の方法。
【請求項９】
前記解析値は、解析的分析のピーク面積である、請求項１に記載の方法。
【請求項１０】
前記解析的分析は、質量分析計分析である、請求項９に記載の方法。
【請求項１１】
前記第１の曲線適合メトリックは、正確度である、請求項１に記載の方法。
【請求項１２】
＋／−３０％の正確度に対する閾値が、利用される、請求項１１に記載の方法。
【請求項１３】
前記第２の曲線適合メトリックは、前記第１の曲線適合メトリックと同一である、請求項１に記載の方法。
【請求項１４】
前記第１の曲線適合メトリックは、前記最良適合が所定の点を通るようにすることを含み、前記第２の曲線適合メトリックは、所定の点を通るようにすることを利用しない、請求項１に記載の方法。
【請求項１５】
前記所定の点は、原点である、請求項１４に記載の方法。
【請求項１６】
ステップｄ）において、追加の較正点対が、前記サブセットに追加されない、請求項１に記載の方法。
【請求項１７】
前記データ記憶装置は、コンピュータ制御式デバイス内のメモリアレイであり、前記コンピュータ制御式デバイスは、前記解析デバイスを動作させ、制御するように構成されている、請求項１に記載の方法。
【請求項１８】
前記解析デバイスは、質量分析計である、請求項１７に記載の方法。
【請求項１９】
未知の濃度を有するサンプル中の検体の量を決定するための前記較正曲線モデルの使用をさらに含む、請求項１８に記載の方法。
【請求項２０】
前記曲線適合メトリックは、正確度と、ｒまたはＲ２のいずれか一方との両方を含む、請求項１に記載の方法。
【請求項２１】
サンプル中の１つ以上の検体の濃度を決定する方法であって、
ａ）複数の較正標準を提供することであって、前記較正標準の各々は、既知の濃度の１つ以上の検体を含む、ことと、
ｂ）質量分析計を提供することと、
ｃ）前記質量分析計に動作可能に接続されたデジタルコンピュータを提供することであって、前記デジタルコンピュータは、処理ユニット、情報を前記質量分析計に送信し、かつそこから受信するためのデータＩ／Ｏコントローラ、ディスプレイ要素、およびデータ記憶装置デバイスを備えている、ことと、
ｄ）前記既知の濃度を含む前記較正標準の各々を前記質量分析計内で分析することによって、前記較正標準の各々における前記１つ以上の検体の各々に対するピーク面積値を決定し、前記１つ以上の検体の各々に対して、前記ピーク面積値の各々をその対応する較正標準濃度に較正点対として前記データ記憶装置デバイス内で関連付けることと、
ｅ）較正曲線を生成することにおける使用のために、前記処理ユニットを使用して、前記１つ以上の検体の各々に対して、所定の曲線適合タイプに最良適合する較正点対のサブセットを識別することであって、前記較正点対のサブセットは、連続した濃度レベルにおける対であり、前記最良適合の決定は、第１の曲線適合メトリックの使用によって行われる、ことと、
ｆ）前記１つ以上の検体の各々に対して、前記処理ユニットを使用して、前記サブセットより高いか、またはより低いかのいずれかであるすぐ次の濃度レベルにおける１つ以上の追加の較正点対と、以前に試験された任意の他の較正点対とを含むことが、好適な較正曲線の生成をもたらすであろうかどうかを第２の曲線適合メトリックを用いて試験し、該当する場合、前記追加の較正点対を前記サブセットの中に含めることによって、前記サブセット内の前記較正点対の数を増加させることと、
ｇ）前記１つ以上の検体の各々に対して全ての較正点対が試験されてしまうまで、ステップｆ）を繰り返すことと、
ｈ）前記１つ以上の検体の各々に対して、前記処理ユニットを使用して、前記所定の曲線適合タイプのモデル方程式の係数および／または指数を決定することによって、較正点対の結果として生じるサブセットから較正曲線を作成し、前記モデル方程式の前記係数および／または指数を前記データ記憶装置デバイス内に記憶することと、
ｉ）質量分析計分析を前記サンプルに対して行うことであって、前記サンプルは、前記未知の濃度の検体のうちの１つ以上のものを含むか、または含むと考えられ、前記１つ以上の検体の各々に対する未知のピーク面積値を求めることと、
ｊ）前記１つ以上の検体の各々に対して、前記処理ユニットを使用して、前記未知のピーク面積値を前記モデル方程式を使用して決定された濃度と相関させることと、
ｋ）前記１つ以上の検体の各々に対する前記決定された濃度を前記ディスプレイ要素上に出力することと
を含む、方法。
【発明の詳細な説明】
【技術分野】
【０００１】
（関連出願）
本願は、米国仮出願第６２／１０７，６０１号（２０１５年１月２６日出願、名称「Ａｕｔｏｍａｔｉｃ  Ｑｕａｎｔｉｔａｔｉｖｅ  Ｒｅｇｒｅｓｓｉｏｎ」）に対する優先権を主張し、上記出願は、その全体が参照により本明細書に援用される。
【０００２】
（分野）
本教示は、自動化された方式において回帰モデルを生成する方法を対象とする。
【背景技術】
【０００３】
検体の絶対定量化は、例えば、殺虫剤に対する食品製品のスクリーニングを含む、種々の分野において重要であり、特定の化合物の有無およびその濃度の両方を把握することが重要である。概して、定量化は、較正曲線が生成される方法によって行われる。この曲線は、概して、解析デバイスまたはプロセスによって提供される応答である解析値と、値を生成するために使用された検体の特定の濃度を結び付ける。この曲線は、概して、異なる既知の濃度を有する標準のセットを入手し、標準を分析にかけることによって作成される。これらの標準の各々は、解析値を分析から生成し、解析値を濃度に関連付けるプロットが生成されることができる。未知の濃度の検体を伴う対応するサンプルが、分析される場合、解析値が求められ、それは、次いで、較正曲線を参照することによって、濃度値に変換されることができる。概して、回帰曲線モデルが、データ点から導出され、点を通して最良適合線を生成し、最良適合線は、内挿および／または外挿を通して、解析値と標準以外の濃度との間の相関を可能にする。
【０００４】
標準は、当技術分野において公知の種々の方法によって生成されることができる。１つの方法は、最高濃度の検体を含む開始混合物の連続希釈を行うことを伴う。質量分析計（ＭＳ）分析では、複数の検体を同時に分析することが可能であり、複数の検体を含む較正標準溶液が、したがって、作製されることができる。これは、全化合物に対するダイナミックレンジに及び、ある場合には、同じ絶対濃度範囲に及ぶ標準の生成をもたらすことができる。しかしながら、化合物のＭＳ感度は、非常に異なり得るので、大部分の化合物に対して、定量下限（ＬＬＯＱ）を下回るか、または定量上限（ＵＬＯＱ）を上回るか、もしくは両方である低濃度標準が存在する。容認可能較正曲線を求めるために、ＬＬＯＱを下回るか、またはＵＬＯＱを上回るこれらの点は、検体毎に除外されなければならない。これは、手動で行われることができるが、労働集約的である。
【０００５】
理想的には、種々の標準からの全ての解析値および関連付けられた濃度が、好ましくは線形である濃度曲線をもたらすであろう。しかしながら、ＬＬＯＱまたはＵＬＯＱに関連する限界等の機器における限界、不適切な標準、および／またはサンプル調製ならびに他の可能な理由に起因して、全解析値およびそれらの関連付けられた濃度が、較正曲線を作成することにおいて利用されるわけではない。時には、残りの点によって提供される一般的傾向から有意に逸脱する１つ以上の点は、生成された較正を覆すほど十分なものになり得、その結果、曲線は、解析値と濃度との関係を真に表さない。そのような場合、これらの「外れ値」点は、好ましくは、較正曲線を作成するときに除外される。わずかのみの点が、多くの点のデータセット内の外れ値である場合、除外されるべき点を手動で決定する方が視覚的に容易であるが、しかしながら、「外れ値」の数が、有効点の数に近づくか、またはそれを超える場合、このタスクを手動で行うことはより困難であり得る。
【０００６】
加えて、そのような手順は、手動で行われるとき、時間がかかり得る。例えば、複数の検体を同時に分析可能な質量分析計分析では、既知の濃度を有する数百の異なる化合物を含む標準溶液が、調製され得る。そのような溶液に対する外れ値および生成される数百の較正曲線の手動決定を行うことも、非常に労働集約的である。
【０００７】
較正曲線を生成するプロセスを自動化する試みは、様々なレベルの成功を収めている。１つの方法では、較正曲線は、１つ以上の外れ値が存在するかどうかにかかわらず、収集された全データ点を使用して自動的に生成されることができる。これは、解析値と濃度関係を真に表すものではない不適切なモデルにつながり得る。データセットからの外れ値の除外を自動化する試みも行われている。これらの試みの大部分は、点の大部分が有効であるいわゆる「非外れ値」であると仮定し、比較的に小数の外れ値を除去することを試みる。１つのそのような方法は、元のデータのサブセットをランダムに選択する、ＲＡＮＳＡＣ（ランダムサンプルコンセンサス）手順であり、モデルが、サブセットに適合され、残りの点が、次いで、生成されたモデルに対して試験され、モデルに適合する任意の残りの点が、次いで、新しいモデルに組み込まれ、この手順は、モデルがもはや改良されなくなり得るまで反復方式で行われる。この方法は、質量分析において環境サンプルを取り扱う場合によくあるように、外れ値の数が有効点の数を超える場合、うまく機能しないという短所に悩まされる。時として使用される他の方法は、決定された適合モデルに対するデータの残差を調べる。これは、外れ値の数が多い場合、平均残差もまた大きくあり得るので、難点を呈する。例えば、点の半分が適合された領域の外側にあると見なされる場合、統計的に言うと、「外れ値」と見なされず、この場合、適切に除去されないこともある。適合された領域から有意に異なる点（特に、より大きい濃度値を伴う点）は、計算される適合に著しく影響を及ぼし、残りの点の大部分が外れ値であるかのようにそれを見せる。いくつかの技法は、１つまたは２つのみの点を除去することを試みているが、これは、除去される必要がある多くの点が存在する場合、機能しない。
【発明の概要】
【課題を解決するための手段】
【０００８】
本教示の一実施形態では、検体のための較正曲線モデルのパラメータを生成する方法が、提供される。方法は、ａ）複数の較正標準を提供することであって、該較正標準の各々は、既知の濃度の検体を含む、ことと、ｂ）既知の濃度の検体を含む該較正標準の各々を解析デバイス内で分析することによって、解析値を該較正標準の各々に対して決定し、該解析値の各々とその対応する較正標準濃度を較正点対としてデータ記憶装置内で関連付けることと、ｃ）較正曲線を生成することにおける使用のために、所定の曲線適合タイプに最良適合する較正点対のサブセットを識別することであって、較正点対のサブセットは、連続した濃度レベルにおける対であり、最良適合の決定は、第１の曲線適合メトリックの使用によって行われる、ことと、ｄ）サブセットより高いか、またはより低いかのいずれかのすぐ次の濃度レベルにおける１つ以上の追加の較正点対と、以前に試験された任意の他の較正点対とを含むことが、好適な較正曲線の生成をもたらすであろうかどうかを該所定の曲線適合タイプを使用した第２の曲線適合メトリックを用いて試験し、該当する場合、該追加の較正点対を該サブセットの中に含めることによって、サブセット内の較正点対の数を増加させることと、ｅ）全較正点対が試験されるまで、ステップｄ）を繰り返すことと、ｆ）較正点対の該結果として生じるサブセットを所定の曲線適合タイプに適合することによって、較正曲線モデルのパラメータを計算することとを含み得る。
【０００９】
いくつかの実施形態では、方法は、所定の曲線適合タイプが線形である場合を含み、第１の曲線適合メトリックは、ｒまたはＲ２であり、較正点対のサブセットを識別することは、ｉ）３または４つの連続した濃度レベルの各々において１つ以上の較正点対を選択し、ｒまたはＲ２と線形方程式の係数とを決定するように、該較正点対に対して線形回帰を行うことと、ｉｉ）連続した３または４つの濃度レベルにおける全ての可能な１つ以上の較正点対がそれらのｒまたはＲ２と線形方程式の係数とを決定されてしまうまでステップａ）を反復的に繰り返すことと、ｉｉｉ）較正対のサブセットを、最高のｒまたはＲ２値を有する３または４つの連続した濃度レベルの各々における１つ以上の較正点対であるように設定することとによって行われる。いくつかの実施形態では、方法は、線形回帰は、線形方程式の係数を所定の較正点を通るようにすることによって行われる場合を含む。いくつかの実施形態では、所定の較正点は、原点（０，０）である。
【００１０】
いくつかの実施形態では、本教示の方法は、曲線適合メトリックがＲ２である場合を含む。
【００１１】
いくつかの実施形態では、本教示の方法は、所定の曲線適合タイプが線形または二次関数である場合を含む。
【００１２】
いくつかの実施形態では、方法は、サブセットが較正点対の総数の少なくとも２０％を含む場合を含む。
【００１３】
いくつかの実施形態では、方法は、点のサブセットが、最初に、３または４つの較正点対を含む場合を含む。
【００１４】
いくつかの実施形態では、方法は、解析値が解析的分析のピーク面積である場合を含む。
【００１５】
いくつかの実施形態では、方法は、解析的分析が質量分析計分析である場合を含む。
【００１６】
いくつかの実施形態では、方法は、第１の曲線適合メトリックが正確度である場合を含む。
【００１７】
いくつかの実施形態では、方法は、＋／−３０％の正確度に対する閾値が利用される場合を含む。
【００１８】
いくつかの実施形態では、方法は、第２の曲線適合メトリックが第１の曲線適合メトリックと同一である場合を含む。
【００１９】
いくつかの実施形態では、方法は、第１の曲線適合メトリックが最良適合が所定の点を通るようすることを含む場合を含み、第２の曲線適合メトリックが所定の点を通るようにすることを利用しない場合を含む。いくつかの実施形態では、方法は、所定の点は、原点である。
【００２０】
いくつかの実施形態では、前述の方法は、ステップｄ）において追加の較正点対がサブセットに追加されない場合を含む。
【００２１】
いくつかの実施形態では、方法は、データ記憶装置がコンピュータ制御式デバイス内のメモリアレイであり、該コンピュータ制御式デバイスが該解析デバイスを動作させ、制御するように構成される場合を含む。いくつかの実施形態では、解析デバイスは、質量分析計である。いくつかの実施形態では、方法はさらに、未知の濃度を有するサンプル中の検体の量を決定するための較正曲線モデルの使用を含むことができる。
【００２２】
いくつかの実施形態では、方法は、曲線適合メトリックが正確度とｒまたはＲ２のいずれか一方との両方を含む場合を含む。
【００２３】
いくつかの実施形態では、本教示は、ａ）複数の較正標準を提供することであって、該較正標準の各々は、既知の濃度の１つ以上の検体を含む、ことと、ｂ）質量分析計を提供することと、ｃ）該質量分析計に動作可能に接続されたデジタルコンピュータを提供することであって、該デジタルコンピュータは、処理ユニット、情報を該質量分析計に送信し、かつそこから受信するためのデータＩ／Ｏコントローラ、ディスプレイ要素、およびデータ記憶装置デバイスを備えている、ことと、ｄ）既知の濃度を含む該較正標準の各々を、該質量分析計内で、該１つ以上の検体の各々に対して分析することによって、該較正標準の各々における該１つ以上の検体の各々に対するピーク面積値を決定し、該ピーク面積値の各々をその対応する較正標準濃度に較正点対として該データ記憶装置デバイス内で関連付けることと、ｅ）該１つ以上の検体の各々に対して、該処理ユニットを使用して、較正曲線を生成することにおける使用のために、所定の曲線適合タイプに最良適合する較正点対のサブセットを識別することであって、較正点対のサブセットは、連続した濃度レベルにおける対であり、最良適合の決定は、第１の曲線適合メトリックの使用によって行われる、ことと、ｆ）該１つ以上の検体の各々に対して、該処理ユニットを使用して、サブセットより高いか、またはより低いかのいずれかであるすぐ次の濃度レベルにおける１つ以上の追加の較正点対と、以前に試験された任意の他の較正点対とを含むことが、好適な較正曲線の生成をもたらすであろうかどうかを第２の曲線適合メトリックを用いて試験し、該当する場合、該追加の較正点対を該サブセットの中に含めることによって、サブセット内の較正点対の数を増加させることと、ｇ）全較正点対が、該１つ以上の検体の各々に対して試験されるまで、ステップｆ）を繰り返すことと、ｈ）該１つ以上の検体の各々に対して、該処理ユニットを使用して、該所定の曲線適合タイプのモデル方程式の係数および／または指数を決定することによって、較正点対の結果として生じるサブセットから較正曲線を作成し、モデル方程式の該係数および／または指数をデータ記憶装置デバイス内に記憶することと、ｉ）質量分析計分析をサンプルに対して行うことであって、サンプルは、未知の濃度の検体のうちの１つ以上のものを含むか、または含むと考えられ、１つ以上の検体の各々に対して、未知のピーク面積値を求めることと、ｊ）１つ以上の検体の各々に対して、該処理ユニットを使用して、未知のピーク面積値を該モデル方程式を使用して決定された濃度と相関させることと、ｋ）該１つ以上の検体の各々に対して該決定された濃度を該ディスプレイ要素上に出力することとを含む、サンプル中の１つ以上の検体の濃度を決定する方法を提供する。
【図面の簡単な説明】
【００２４】
【図１】図１は、実施例１における全データ点に対する線形回帰曲線を描写する。
【図２】図２は、実施例１からの５、１０、および２０における濃度レベルに対して決定される線形回帰曲線を描写する。
【図３】図３は、実施例１からの１０、２０、および５０における濃度レベルに対して決定される線形回帰曲線を描写する。
【図４】図４は、実施例１からの２０、５０、および１００における濃度レベルに対して決定される線形回帰曲線を描写する。
【図５】図５は、実施例１からの５０、１００、および２００における濃度レベルに対して決定される線形回帰曲線を描写する。
【図６】図６は、実施例２における全データ点に対する線形回帰曲線を描写する。
【図７Ａ】図７ＡおよびＢは、原点を通るようにさせられる、実施例２からの０．０５、０．１、０．２、および０．５における濃度レベルに対して決定される線形回帰曲線を描写する。
【図７Ｂ】図７ＡおよびＢは、原点を通るようにさせられる、実施例２からの０．０５、０．１、０．２、および０．５における濃度レベルに対して決定される線形回帰曲線を描写する。
【図８】図８は、原点を通るようにさせられる、実施例２からの０．１、０．２、０．５、および１．０における濃度レベルに対して決定される線形回帰曲線を描写する。
【図９】図９は、原点を通るようにさせられる、実施例２からの１０、２０、５０、および１００における濃度レベルに対して決定される線形回帰曲線を描写する。
【図１０Ａ】図１０ＡおよびＢは、実施例２からの１０、２０、５０、および１００における濃度レベルに対して決定される線形回帰曲線を描写する。
【図１０Ｂ】図１０ＡおよびＢは、実施例２からの１０、２０、５０、および１００における濃度レベルに対して決定される線形回帰曲線を描写する。
【図１１】図１１は、実施例２からの１０、２０、５０、および１００における濃度レベルに対して決定される線形回帰曲線を描写する。
【図１２Ａ】図１２ＡおよびＢは、実施例２からの５、１０、２０、５０、および１００における濃度レベルに対して決定される線形回帰曲線を描写する。
【図１２Ｂ】図１２ＡおよびＢは、実施例２からの５、１０、２０、５０、および１００における濃度レベルに対して決定される線形回帰曲線を描写する。
【図１３Ａ】図１３ＡおよびＢは、実施例２からの５、１０、２０、５０、１００、および２００における濃度レベルに対して決定される線形回帰曲線を描写する。
【図１３Ｂ】図１３ＡおよびＢは、実施例２からの５、１０、２０、５０、１００、および２００における濃度レベルに対して決定される線形回帰曲線を描写する。
【図１４】図１４は、実施例２からの２、５、１０、２０、５０、１００、および２００における濃度レベルに対して決定される線形回帰曲線の拡大図を描写する。
【図１５】図１５は、本教示とともに利用されるシステムの概略を描写する。
【発明を実施するための形態】
【００２５】
実施形態の以下の説明は、本説明の発明の例示かつ例証にすぎず、開示される精密な実施形態に対する本教示の限定と理解されるべきではない。これらの説明は、包括的と意図されるものではなく、修正および変形例が、本教示に照らして、または本教示を実践することによって可能である。
【００２６】
いくつかの実施形態における本教示は、ソフトウェアを利用するが、本教示は、ソフトウェアおよびハードウェアの両方の組み合わせにおいて、またはハードウェア単独で実装され得ることを理解されたい。
【００２７】
本教示は、例えば、ある解析方法を較正標準に対して行うことから求められた解析値を含むデータから、較正曲線を生成する方法を提供する。自動手段を通した較正曲線の作成は、多数の検体を処理するとき、オペレータが失うであろう消費時間量を削減し得る。加えて、最も厳密な命令および標準的操作手順を用いても、異なるオペレータは、点が除外される順序に応じて、若干異なる結果を達成し得るので、自動化された方法は、一貫し、かつ再現可能な結果を提供する。
【００２８】
較正標準は、当技術分野において公知の任意の方法を使用して作成されることができる。質量分析計標準に対して、個々の標準は、複数の検体を同時に分析する質量分析計の能力に起因して、いくつかの異なるタイプの検体を含むように調製され得る。
【００２９】
解析値を生成することにおいて利用され得る解析方法は、典型的には、所与の検体を定量化するために使用され、生成された較正曲線を利用する任意の解析方法であることができる。方法から利益を享受し得る解析方法の典型的な例として、特定のサンプル中の検体の光の透過または吸収がその濃度に関連する蛍光等の種々のタイプの光学関連分析を含む種々のタイプの分光測定技法が挙げられる。特に、本教示は、質量分析、より具体的には、液体クロマトグラフィ質量分析において使用するための較正曲線を生成するための自動化された方式において有用である。
【００３０】
用語「解析値」は、値が、濃度の関数であることが分かっているか、またはそうであると考えられる解析的分析から求められた物理的測定値を含む、任意の測定値を含むように意図される。光学ベースの分析では、光学的に敏感なサンプルを通した可視、ＵＶ等のいずれかの光の吸収性および透過性質は、ベールの法則によって支配され、濃度と相関し得る。そのような場合、解析値は、好ましくは、吸光度であると見なされ得るが、％透過率も、使用され得る。他の場合には、検体の数に関連する物理的カウントが、ある形態の検出器を使用して決定されることができる。これらの解析的測定技法のうちのいくつかでは、スペクトルまたはクロマトグラムが、生成され、スペクトルまたはクロマトグラムにおいて結果として生じるピークは、基準サンプルが利用されたかどうかに応じて、相対または絶対のいずれかの定量的値の決定のために利用されることができる。例えば、定量的質量分析では、ピークが、クロマトグラムにおいて描写され、曲線のピークのカウント値、またはより好ましくは、そのピークに対する曲線下面積が、その濃度に関連する。カウント値またはピーク面積は、解析値と見なされる。
【００３１】
本説明の教示は、デジタルコンピュータデバイス上で行われることができる。デバイスは、典型的には、ＣＰＵ、メモリ記憶、およびコントローラＩ／Ｏ等の処理ユニットを含むことができる。コントローラＩ／Ｏは、解析デバイスに動作可能に接続され、その間で情報を送受信し得る。いくつかの実施形態では、コンピュータは、命令を解析デバイスに送信し、結果をそこから受信するために使用されることができる。
【００３２】
生成されるべき較正曲線は、好ましくは、性質上、公知の式ｙ＝ａｘ＋ｂによって表される線形であり、式中、ｙは、解析値（ある程度の誤差を有することが予期される）であり、ｘは、濃度であり（最小限の誤差を有することが予期される）、ａは、較正曲線の傾きであり、ｂは、ｙ−切片である。この線形方程式に対するａおよびｂの値は、適合された線形モデルを定義する、方程式の係数であり、適合された較正曲線モデルのパラメータである。データから概して線形であるモデルを生成するために使用される技法は、公知であり、線形回帰分析を含むことができる。最も一般的線形回帰モデル分析は、最小二乗法を伴い、データ点のセットからの二乗残差の和は、最小化される。残差は、生成されたモデルに基づく予測される値と実際の値との間の差異である。線形回帰モデルを有するデータは、好ましいが、他のタイプのデータも、概して線形ではない、較正曲線を利用し得る。例えば、酵素測定において利用される較正曲線は、時として、性質上、シグモイドタイプ（ｓ形状）である。他の場合では、二次関数を含むモデルも、利用され得る。シグモイドタイプ曲線が存在する場合でも、依然として、性質上、線形である、曲線の部分が存在し、ある形態の線形回帰は、分析が曲線の線形部分に限定される場合、依然として、適用され得る。
【００３３】
例えば、以下のモデル方程式によって表され得る、二次関数、べき関数、一次対数関数、および二次対数関数等の非線形モデル方程式にデータを適合することを試みる他の形態の非線形回帰分析も、使用されることができる。
【００３４】
二次関数：ｙ＝ａｘ２＋ｂｘ＋ｃ
べき関数：ｙ＝ａｘｂ
一次対数関数ｙ＝ａｌｎ（ｘ）＋ｂ
二次対数関数：ｌｎ（ｙ）＝ａｌｎ２（ｘ）＋ｂｌｎ（ｘ）＋ｃ
各場合において、種々の方程式の係数および指数は、較正曲線モデルのパラメータであり、点に対する適合較正曲線モデルを生成する目的のために決定されることができる。概して、較正曲線を生成する方法は、以下のステップを伴う。最初に、各々が既知の濃度の所与の検体を含むいくつかの標準サンプル溶液を提供する。いくつかのタイプの分析、例えば、質量分析では、各標準サンプル溶液が同時に測定され得るいくつかの異なる検体を含むことが可能である。各サンプルは、次いで、定量的解析技法を使用して試験され、その定量的解析技法は、濃度を表すその分析に特有の解析値を提供する。
【００３５】
本教示を行う一般的方法は、以下のステップを含み得る。
１）最良適合を与える少数の連続する点（多くの場合、曲線の中央にある点）を見つける。ある実施形態では、これは、最良の３つまたは４つの連続する点（より正確には、１つの濃度に複数の点が存在する場合の３つまたは４つの濃度レベル）であり得る。
２）容認可能な適合および／または正確度が保持されるならば、この開始「シード」を、より低い１つの濃度レベル、またはより高い１つの濃度レベルに拡張する。
３）点の範囲がさらに拡張されることができなくなるまで、ステップ（２）を繰り返す。
４）前述のステップは、少数の不正確な点が、完全モデルが決定されることを妨げないように、外れ値を除去するための標準技法を使用して行われる。
【００３６】
ステップ（１）は、任意の導出されたモデルが所定の点を通るようにすることによって行われ得る。これは、例えば、切片が０である原点であり得る。最も実践的場合に対して、そのような手順がデータセットから好適な中央開始点を見つけることが知られている。この開始点が見つけられると、この範囲の拡張（ステップ２ならびに３および／または４）は、所定の点を通るようにさせられない実際の回帰タイプを使用し、回帰タイプは、線形、二次関数、またはそれ以外のものであり得る。
【００３７】
液体クロマトグラフィ（ＬＣ）／ＭＳ定量化では、正確度を一次品質メトリックとして使用することが非常に一般的である。（正確度は、実際の既知の濃度の回帰方程式を使用して計算される濃度に対する比率である。）ＣＶも、一般に、使用される（これは、同一既知の濃度を伴う複数の点に対して計算される濃度の標準偏差である）。相関係数および関連実体も、品質メトリックとして使用され得る。
【００３８】
一連の解析値およびその対応する濃度は、次いで、いくつかの方法で表され、較正曲線点の集合を形成する。本明細書に提供される本教示および実施例では、これらの点は、説明される技法のより良好な可視化を可能にする目的のために物理的にプロットされたが、点の実際の物理的プロットは、必要ではなく、これは、他の手段によって、例えば、コンピュータ制御式デバイス内の内部表現および後続ステップにおいて適切な曲線適合を決定するためのそのようなデータ点の数値コンピュータ制御式処理によって、達成されることもできることを理解されたい。したがって、本教示における用語「〜を表す」を使用した言及では、例えば、プロット上の点の物理的プロットまたはコンピュータ制御式媒体もしくはデバイス内のそのようなプロットのコンピュータ制御式表現の両方を含むことが意図される。較正曲線点は、較正点対の集合を用いて非グラフィック様式で表されることができ、解析値を表す値とその対応する較正標準濃度との個別の対が、一緒に関連付けられ、各対が、集合的に、データ記憶装置内に記憶される。理解されるであろうように、これらの対の各々は、情報がグラフィックでプロット化された場合の較正曲線上の点を表す。データ記憶装置は、そのようなデータを記憶するための任意の既知の方法を含むことができる。故に、本教示では、用語「点」または関連専門用語の使用は、グラフィック手段を介して物理的にプロットされた点と、コンピュータ制御式タイプの手段内に記憶される、対にされた解析値および濃度値の表現である較正点対の使用の両方を指すものと理解されたい。これは、例えば、変数配列内の点の記憶またはコンピュータのメモリの内側の他の様式の記憶を指し得る。これはまた、ＲＡＭディスク、ハードディスク、テープドライブ、ソリッドステートメモリ、またはディスク等を含み得る、コンピュータ制御式記憶媒体内の較正点対の記憶を含むことができる。いくつかの実施形態では、複数の解析値が、同一濃度レベルにおいて求められ得、すなわち、同一標準サンプル溶液の反復測定または同一濃度を有する異なる標準サンプル溶液の測定が、データセット内に含まれ得る。このように、そのような点からのデータは、平均化され、使用され得る平均値を決定することができるか、または代替として、データ点は、累積的に使用されることができる。他の実施形態では、追加の分析が、同一濃度における点上で行われ、任意のそのようなデータ点が除外されるべきかどうかを決定し得る。これは、例えば、正確度等のメトリックを使用して行われることができる。
【００３９】
較正曲線点が表されると、その点の総数のサブセットの初期検索が、行われ、恣意的モデルに適合された場合、最良適合を提供する連続する点を識別する。モデルは、例えば、以前に参照された任意のそのようなモデルであることができる。この初期検索は、濃度または解析値軸のいずれかの軸上に位置し得る所定の点（すなわち、ｘまたはｙ−切片点のいずれか）をモデルが通るようにし得る。ある場合には、この所定の点は、原点（０，０）であり、濃度および解析値は両方とも、ゼロであることが予期されるが、解析値または濃度のいずれか（もしくは両方）が非ゼロである、他の状況も存在し得る。そのような非ゼロ切片も、本教示内に含まれることが意図される。恣意的モデルに対する点の最良適合の決定は、開始の第１の曲線適合メトリックの使用によって決定される。このメトリックは、計算された曲線適合モデルがモデルを決定するために利用された実際のデータ点をいかに良く表すかを決定する解析的方法である。例えば、線形回帰を通して決定される線形曲線適合モデルに対して、これは、最も多くの場合、０と１との間の小数値である、決定係数（Ｒ２値）を計算することによって行われ、１は、非常に良好な線形適合を表し、０は、線形適合を全く表さない。Ｒ２は、例えば、通常の最小二乗法シナリオにおける以下の式を使用して決定されることができる。
【００４０】
【数１０】
2018504709.tif 000003
【００４１】
式中、ｙは、従属変数である。
Ｎは、ｙの値の総数である。
【００４２】
【数１１】
2018504709.tif 000004
【００４３】
は、モデルによって予測される値である。
【００４４】
【数１２】
2018504709.tif 000005
【００４５】
は、ｙ値の平均値である。
【００４６】
類似パラメータは、同様に使用され得る相関係数である「ｒ」である。回帰モデルによって予測されるものと比較される既知の値の比率が決定される正確度の使用を含む他の曲線適合メトリックも、利用され得る。所与のモデルのために要求される容認可能な正確度は、概して、全点がある恣意的閾値を満たすことを要求し得る。いくつかの実施形態では、この閾値は、＋／−３０％である。すなわち、全ての実際の点は、決定される回帰モデルの３０％以内になければならない。他の実施形態では、正確度に対する閾値は、＋／−２０％である。他の実施形態では、全点が、恣意的閾値を満たすことを要求されないこともある。いくつかの実施形態では、複数のデータ点が、同一濃度に存在し得る場合、変動係数（ＣＶ）に関連する追加のメトリックが、利用されることができる。％ＣＶが、ある恣意的値を超えると決定される場合、任意の平均値は、不適切であると決定され、したがって、そのような点は、除外されるべきである。いくつかの実施形態では、ＣＶは、典型的には、２０〜３０％の範囲内にあることができる。代替として、解析値に対する平均値が決定されておらず、個々の点が含まれている場合、所与の濃度におけるＣＶ閾値外の点は、個々に除外されることができる。そのようなＣＶメトリックは、他のメトリックと組み合わせてのみ利用されることができる。いくつかの実施形態では、複数の個々のメトリックが、本教示とともに利用され得る全体的メトリックに到達するために、重み付き、または非重み付き方法のいずれかにおいて１つに組み合わせられ得る。いくつかの実施形態では、全ての個々のメトリックは、点が容認可能であると見なされるために、個々に満たされる必要があり得る。正確度が開始曲線適合メトリックにおいて使用されていない場合、導出されたモデルが原点等の所定の点を通るようにすることが好ましい。正確度が使用されているとき、所定の点を通るようにさせられることが要求されない好適なモデルが、求められ得る。
【００４７】
サブセットを含む点の数は、表されている点の総数に基づいて変動し得る。例えば、それは、総数の少なくとも１０％であり、かつ５０％を上回らず、好ましくは、それは、約２０％を上回り得る。概して、サブセットは、少なくとも３つの点、しかし、好ましくは、少なくとも４つの点を含まなければならない。
【００４８】
最良のサブセットは、反復技法を通して決定され、各点と、すぐ続くｎ数の点（サブセット内の点の総数が（ｎ＋１）である場合）とが、恣意的モデルに対する最良適合を決定するために、ある形態の曲線適合分析を受ける。モデルおよび分析は、線形、べき、指数、または他の非線形タイプの曲線適合プロセス等のタイプを含むことができる。最良適合の決定は、生成されたモデルが、いかにモデルを決定するために利用された実際の点を良く表すかを決定する開始曲線適合メトリックを用いて決定される。データ点が、同一濃度において複数の点を含む場合、技法は、所与の濃度レベルにおける点または複数の点と、続くｎ個の濃度レベルにおける続く点または複数の点との使用を伴う。
【００４９】
開始曲線適合メトリックが、次いで、連続するデータ点または連続した濃度レベルの全ての可能なサブセットに対して体系的に決定され、可能なサブセットは、固定数の点を含み、随意に、所定の点を通るようにさせられる。最良適合メトリックを伴うデータ点のセットが、次いで、さらなる処理のために選択される。点の２つの異なるサブセットが、同様の最良適合メトリックを有する場合があり得る。そのような場合、利用可能なデータ点の全体的広がりの最も中心（すなわち、中央）の、点のサブセットが、好ましくは、使用される。曲線適合モデルが線形であることが予期される場合、回帰係数が、随意に、原点等の所定の点を通るようにさせられ得る、線形回帰モデルのために決定されることができ、プロセスは、次いで、較正曲線上の他の連続した点（または濃度レベル）に対して繰り返される。
【００５０】
この点のサブセットが決定されると、曲線適合モデル方程式が、この選定された一連の点に対して計算されるが、具体的には、所定の点を通るように（初期の一連の点を決定する場合にそうであったように）させられず、補完の第２の曲線適合メトリックが、計算される。補完曲線適合メトリックは、開始曲線適合メトリックを計算するために使用された同一メトリックに基づいても、異なっていてもよい。随意に、この時点において、補完曲線適合メトリックは、いくつかの点が、そのような点をモデル内に含むための要件をもはや満たさないことを示し得る。これは、開始曲線適合メトリックが、決定されるモデルが特定の点を通るようにすることを含む様式で計算されたときに生じる潜在性がある（補完曲線メトリックモデルは強制することを含まない）。これらの点は、随意に、この時点において除去され得る。好ましくは、この追加の除去ステップは、所与の濃度における一連の２つ以上の点のサブセットである点においてのみ行われる（すなわち、所与の濃度におけるそのような点の除去は、依然として、その濃度におけるモデル化のために利用可能な較正点を残すであろう）。
【００５１】
次いで、点のサブセットを発展させるための試みが、最初に決定された選択された点のサブセットの直上または直下のいずれかである次の利用可能な点と、この発展段階中に試験された任意の他の前の点とを体系的に分析することによって、行われる。この点（または２つ以上の点が所与の濃度に存在する場合、複数の点）は、一度に１つずつ分析され、そのような点（または複数の点）を含むことが、補完適合メトリックに基づく点を含む計算された曲線適合モデルに対して容認可能な全体的適合を生成するであろうかどうかが決定され、該当する場合、点は、点のサブセットに追加され、プロセスは、繰り返される。好ましくは、考慮すべき次の利用可能な点は、次の利用可能なより高い点とより低い点との間で交互する。発展段階の間に試験されるべき最初の点は、次の最高または次の最低点のいずれかであることができる。いくつかの実施形態では、追加の点が元の点のサブセットに追加されることができないと決定され得、したがって、全ての追加の点が、外れ値と見なされる。複数の点が所与の濃度レベルに存在する場合、１つの追加の点とは対照的に、次の濃度レベルにおける点または複数の点が、利用される。新しい点を伴う補完曲線適合メトリックが、依然として、容認可能な適合をもたらすかどうかを決定することは、数が数値的に比較され得る任意の基準によって行われることができる。一実施形態では、新しい点を伴う曲線適合メトリックは、前の曲線適合メトリックより高いか、または、前の曲線適合メトリックのある一定のパーセンテージ以内であるかのいずれかであることが要求され得る。他の実施形態では、新しい曲線適合メトリックは、前の曲線適合メトリックより高いか、またはそれに等しくなければならない。例えば、ｒの使用の場合、追加の点を伴うｒの任意の新しい値は、ｒの前の値より高い、またはより低い場合、ｒの前の値の２０％以内であると定義することが可能である。いくつかの実施形態では、この閾値は、１０％、５％、または１％であることができる。いくつかの実施形態では、この曲線適合メトリックは、所定の閾値と関連して容認可能な正確度を有することが見出される点の数であることができるか、または前述で参照されたｒもしくはＲ２であることができる。
【００５２】
加えて、随意に、本教示に従って行われる曲線適合計算は、濃度の関数である変動量の差異を補償し得る重み係数を組み込み得る。そのような重み係数は、時として、標準偏差が濃度に伴って増加する、化学測定システムにおいて必要である。そのような重み係数は、１（重み係数なし）、１／ｘ、１／ｘ２、１／ｙ、１／ｙ２、およびｌｏｇ（ｘ）のうちの１つ以上のものを含み得る。この重み係数は、初期の点のサブセットの決定および点のサブセットを「発展」させるために利用される方法の一方または両方において利用され得る。重み係数を較正モデルの導出に組み込む方法は、当技術分野において公知である。
【００５３】
本教示、より具体的には、本説明の方法に説明される処理ステップのうちのいくつかは、特殊ハードウェアを備えているコントローラ上で行われる、またはデジタルコンピュータ上で行われることができる。コンピュータは、制御区分と、データＩ／Ｏコントローラと、ディスプレイ要素と、キーボードとを含むことができる。制御区分は、測定ユニット（すなわち、解析デバイス）内の各機構の動作制御を行い、測定ユニットから求められた情報を分析する機能を有する。制御区分は、ＣＰＵ、ＲＯＭ、ＲＡＭ等の処理ユニットを備え得る。ディスプレイ要素は、制御区分によって求められた分析結果を表示し、必要に応じて、以下に説明される較正曲線のグラフ等を表示するために提供される。このディスプレイ要素は、例えば、モニタ、画面、またはプリンタ等の物理的出力であることができる。好ましくは、コンピュータまたはコントローラは、例えば、図１５に描写されるように、解析デバイスを制御するために利用され、情報を解析デバイスと交換し、デバイス動作と複雑に結び付けられるように、動作可能に接続および構成される。特に、この構成は、解析デバイスが質量分析計である場合、特に有用である。
【００５４】
（実施例１）
１０個のデータ点のセットが、表１に描写される。このデータは、種々の濃度において求められたピーク面積の形態の一連の解析値を含み、線形相関を示すと仮定される。データはまた、同一濃度において求められたいくつかの解析点を含む。
【００５５】
【表１】
2018504709.tif 000006
【００５６】
可能な第１のステップとして、複数の解析値を伴う点を有する濃度が、最初に分析され、任意のそのような点が統計的外れ値であるかどうか決定される。該当する場合、それらは、除去される。外れ値が除去されると、残りの値点は、所与の濃度に対する代表的ピーク面積を求めるために平均される。本明細書に説明される方法の実施形態を図示する目的のために、所与の濃度における全データ点は、有効であり、濃度１０および２０において求められた点の平均が求められたと仮定される。これらの点のプロットは、点および原点を通るようにさせられた点（切片を伴わない方程式）に適合された線形回帰線とともに、図１に描写される。これらの曲線の両方に対する決定係数は、理想的ではなく、決定された曲線適合モデルは、最適ではない。
【００５７】
データ点の初期検索が、原点を通るようにさせられるとき最良線形適合を有する連続した点のサブセットを決定するために行われる。本実施例では、３つの連続した点のサブセットが利用されたが、点の総数未満の任意の数が、利用され得る。これは、全での可能な３つの点の組み合わせが試験されてしまうまで、各点をすぐ続く２つの点とともに連続して分析することによって行われる。原点を通るようにさせられる最良線形適合が、最高の決定係数（Ｒ２値）を有する生成された線形適合モデルの分析によって決定される。図２−５は、この一続きのデータに対する最適線形適合を決定するこの段階的な一続きのものを描写する。プロットから明白であるように、濃度２０μｇ／ｍｌ、５０μｇ／ｍｌ、および１００μｇ／ｍｌにおけるデータ点（図４）は、最も最適である。線形回帰モデルが、次いで、これらの３つの点に対して決定され、モデルは、原点を通るようにさせられない。線形回帰モデルは、次いで、決定された元の点（２０μｇ／ｍｌ、５０μｇ／ｍｌ、および１００μｇ／ｍｌ）の直下または直上のいずれかの次の利用可能な点を回帰モデルに連続して追加することによって改良されるように試みられ、モデルは、適合が依然として容認可能であるかどうかを決定するために再試験される。試験される点は、随意に、次の最低と次の最高との間で交互し、１０μｇ／ｍｌ、２００μｇ／ｍｌ、および５μｇ／ｍｌの順で試験する。その対応する曲線適合モデルおよび対応する回帰モデルが、決定される。表２は、この分析の結果を列挙する。
【００５８】
【表２】
2018504709.tif 000007
【００５９】
したがって、生成された線形モデル内で利用される点が、１０μｇ／ｍｌ、２０μｇ／ｍｌ、５０μｇ／ｍｌ、１００μｇ／ｍｌ、および２００μｇ／ｍｌとなると、このデータセットに基づく最終の最良適合回帰は、ｙ＝６２．３５４ｘ＋３２．８８８となる。
【００６０】
（実施例２）
２３個のデータ点のセットが、表３に描写され、１／ｘ重み係数および線形適合を利用して本教示を受ける。
【００６１】
【表３】
2018504709.tif 000008
【００６２】
１／ｘ重みを伴うこれらのデータ点に対する標準線形曲線適合は、図６に描写される。明白であるように、ｒに対する値は、不良である。選択点は、較正曲線メトリックとして利用される、その正確度の測定値（１００％×実際の値／予測される値）とともに標識されている。
【００６３】
図７ＡおよびＢは、原点を通るようにさせられる線形モデルに最良適合する点の初期サブセットを識別する初期手順のプロットを描写する。これらの図では、黒丸は、モデルを作成することにおいて利用された点である一方、白丸は、モデルにおいて利用されない点である。図７Ｂは、原点近傍の図７Ａのエリアの拡大図を示す。４つの濃度レベルからの点のスライディング窓１０は、最初に、図７Ｂに見られるように利用され、この初期窓は、濃度レベル０．１において求められた４つの点と、０．０５、０．２、および０．５から１つずつとの７つの点を有する。描写されるように、正確度およびｒのレベルの両方が、不良である。
【００６４】
図８は、利用されている濃度レベルの次の窓２０を描写する。これらは、０．１、０．２、０．５、および１．０における点である。このプロットに対するｒ値は、不良である。プロセスは、全ての濃度レベルが考慮されるまで、スライディング窓を全点を通して移動させることによって繰り返される。ｒ値によって決定される最良適合を含む窓が、次いで、さらなる処理のために利用される。簡略目的のために、各スライディング窓に対する個々のプロットは、ここでは提示されないが、本教示を使用して、当業者によって求められることができる。これらのデータ点に対する最良利用可能適合は、濃度レベル１０μｇ／ｍｌ、２０μｇ／ｍｌ、５０μｇ／ｍｌ、および１００μｇ／ｍｌを使用するときに決定され、そのモデル適合は、図９に表示される。これらの点は、次いで、原点を通るようにさせられない較正曲線モデルを生成するために利用される。このモデルは、図１０ＡおよびＢに描写される。図１０Ｂは、１０Ａのプロットの拡大図である。
【００６５】
各点の正確度に対する図１０Ｂに描写される新しく生成されたモデルの分析は、濃度レベル１０μｇ／ｍｌにおける点３０のうちの１つが、計算されたモデルの３０％以内である所定の正確度閾値の所望の境界の外側にあること（すなわち、１６３．６％）を示す。この１つの点は、除去され、図１１に描写される新しい回帰モデルをもたらす。
【００６６】
データ点のサブセットが、次いで、元々決定された点のサブセットの直上または直下のいずれかである次の利用可能な濃度レベルにおける追加の点を考慮することによって追加される。本実施例では、濃度５μｇ／ｍｌにおける追加の点４０が、モデルに組み込まれ、図１２ＡおよびＢに描写される新しい回帰線が、計算される。これらのデータ点に対して、回帰モデルに対する全点の正確度は、ｒの値が若干低下したが（ｒ＝０．９９６３３からｒ＝０．９９５２５）、依然として、容認可能な閾値内である。点は、したがって、保たれ、点の初期サブセットは、現時点で、５つの濃度レベルからのデータを含む。
【００６７】
次のより高い濃度レベル（すなわち、２００μｇ／ｍｌ）において利用可能な点を含む、一連の点における次の利用可能な点５０が、試みられる。新しい回帰モデルが、計算され、図１３ＡおよびＢに描写される。見られるように、ｒ値は、低下し、点のうちのいくつかに対する正確度は、３０％閾値を超えて増加する。したがって、この点は、モデルから除外される。
【００６８】
試験されるべき次の利用可能な点６０は、濃度レベル２μｇ／ｍｌにおける点であり、新しいモデルが、計算され、プロットの一部は、図１４に描写される。このモデルの正確度は、不良であり、濃度２μｇ／ｍｌにおける点は、非常に不良な正確度を有し、濃度レベル１０μｇ／ｍｌにおける点７０のうちの１つの正確度を損なわせる。この点は、したがって、除外される。加えて、濃度レベル１μｇ／ｍｌおよび０．１μｇ／ｍｌにおける点も、別個に検討され（簡潔にするために図示せず）、濃度レベル２μｇ／ｍｌにおける点同様に、モデルと比較されるときの点の正確度が不良と見なされるほど、結果として生じる曲線を歪めることになる。故に、良好な正確度および容認可能ｒ値を有すると見なされる、生成されるモデルは、ｙ＝１９３．９８２７７ｘ−８３０．１６８８７の方程式を用いて生成され、図１２Ａおよび１２Ｂに描写されるものである。
【００６９】
（実施例３）
殺虫剤スクリーニング運転が、質量分析計において実施され、１７５個を上回る化合物が、監視された。種々の化合物に対する全ダイナミックレンジを対象とするために、各化合物に対して１２個の異なる濃度レベルを使用した標準曲線が、本教示を使用して行われ、訓練されたオペレータによって手動で生成された曲線と比較され、好適ではないと見なされる個々の点は、曲線適合プロセスから除去された。
【００７０】
ほぼ全例において、本教示による自動化された方法は、事実上、訓練されたオペレータと同一点を較正曲線（すなわち、ＬＬＯＱを下回る点、ＵＬＯＱを上回る点、および他の外れ値）を除外した。時間にして、５秒未満が、手動アプローチのために要求された数時間とは対照的に、全検体を処理するために要求された。
【００７１】
本教示内で説明された本発明は、前述の実施形態のみに限定されず、代わりに、多くの変形例が、以下の請求項によって定義される本発明の概念の範囲内で可能である。
【図１】
2018504709.tif 000009
【図２】
2018504709.tif 000010
【図３】
2018504709.tif 000011
【図４】
2018504709.tif 000012
【図５】
2018504709.tif 000013
【図６】
2018504709.tif 000014
【図７Ａ】
2018504709.tif 000015
【図７Ｂ】
2018504709.tif 000016
【図８】
2018504709.tif 000017
【図９】
2018504709.tif 000018
【図１０Ａ】
2018504709.tif 000019
【図１０Ｂ】
2018504709.tif 000020
【図１１】
2018504709.tif 000021
【図１２Ａ】
2018504709.tif 000022
【図１２Ｂ】
2018504709.tif 000023
【図１３Ａ】
2018504709.tif 000024
【図１３Ｂ】
2018504709.tif 000025
【図１４】
2018504709.tif 000026
【図１５】
2018504709.tif 000027
【国際調査報告】
2018504709.tif 000028
2018504709.tif 000029